(57)【要約】【課題】検知部を感圧帯として機能させると共に、外観性を良く圧力検出装置を提供すること。【解決手段】一方の端部に圧力センサ１が接続され、他方の端部に外部ケーブル４が接続され、圧力センサ１からの検知信号を処理して外部ケーブル４側に出力する検知基板５と、検知基板５を収納すると共に圧力センサ１側及び外部ケーブル４側がそれぞれ開口した筒形ケース７とで検知部８が構成される。上下動自在なセンサ押圧部材２が荷重で下降した際にこれを圧力センサ１で検出しこの検出結果を検知基板５から外部ケーブル４を介して外部の警報部に伝達するようにした圧力検出装置９である。センサ押圧部材２の下面側で且つ圧力センサ１が配置されない領域に検知部８を配置すると共に、検知部８における筒形ケース７の外部ケーブル挿入部１０側の底面部１０ａに外部ケーブル４の上面高さＨを低くするためのケーブル逃がし部１２を形成した。【選択図】図１
2007147404.tif 000002
【特許請求の範囲】
【請求項１】
一方の端部に圧力センサが接続され、他方の端部に外部ケーブルが接続され、上記圧力センサからの検知信号を処理して外部ケーブル側に出力する検知基板と、検知基板を収納すると共に圧力センサ側及び外部ケーブル側がそれぞれ開口した筒形ケースとで検知部が構成され、上下動自在なセンサ押圧部材が荷重で下降した際にこれを圧力センサで検出しこの検出結果を検知基板から外部ケーブルを介して外部の警報部に伝達するようにした圧力検出装置において、上記センサ押圧部材の下面側で且つ圧力センサが配置されない領域に上記検知部を配置すると共に、検知部における筒形ケースの外部ケーブル挿入部側の底面部に外部ケーブルの上面高さを低くするためのケーブル逃がし部を形成したことを特徴とする圧力検出装置。
【請求項２】
上記筒形ケースが取付ビスにより取付部に取り付けられ、取付ビスの位置を筒形ケースの中央側で且つ検知基板に近い位置に配置したことを特徴とする請求項１記載の圧力検出装置。
【請求項３】
上記筒形ケースのケーブル逃がし部よりも外側方に、ケーブル逃がし部から引き出される外部ケーブルを固定するためのケーブル固定具を設けたことを特徴とする請求項１又は２記載の圧力検出装置。
【請求項４】
上記検知基板の出力側に基板側コネクタを取り付け、上記外部ケーブルの先端に上記基板側コネクタに差し込まれて速結式で電気的に接続されるケーブル側コネクタを取り付けると共に、筒形ケースのケーブル逃がし部の両サイドにケーブル側コネクタを差し込み方向にガイドするガイド部を設けたことを特徴とする請求項１乃至３のいずれかに記載の圧力検出装置。
【発明の詳細な説明】
【技術分野】
【０００１】
本発明は、圧力検出装置に関し、詳しくは検知基板に接続される外部ケーブルのケーブル太さが太い場合に、センサ押圧部材の下面が外部ケーブルに噛み込むのを防止するための技術に関するものである。
【背景技術】
【０００２】
従来、屋内と屋外との境界部（例えばバルコニー部の腰壁、フェンス、塀など）において、赤外線センサ（赤外線遮断検知によるもの）、超音波センサ、静電容量検知センサ、磁気センサを用いて不審者の侵入を検知するものや、あるいはカメラ等の撮像的監視モニターにて監視して侵入を検知する防犯センサが知られている（例えば、特許文献１、特許文献２参照）。
【０００３】
ところがこれら特許文献１、２に見られる従来例では、仮りに猫や鳥等の小動物が侵入すると不審者が侵入した場合とほぼ同様に検知して、不審者が侵入していないにも関わらず不審者の侵入有りと誤検知してしまうことがあり、また、カメラを設ける場合にはバルコニー部の腰壁又はフェンス又は塀との収まりが悪くて一体感がなく、美観を損ねることがあった。
【０００４】
そこで、上記境界部において、人が乗り越える際の荷重を検知して威嚇、警報を発する防犯センサが開発されている。この種の防犯センサは、例えば、取付部上面の略全長に亘って荷重を検知する圧力センサを配設し、圧力センサの上面側に荷重により下降するセンサ部を取り付け、人が乗り越える際の荷重を圧力センサが検出し、検出結果を検知基板から外部ケーブルを介して外部に設置した警報機を鳴らす仕組みとされている。
【０００５】
従来の検知部８はユニット構造をしており、図８（ａ）のようにセンサ部２とは別部材として設けられている場合が多い。しかも、検知部８には圧力センサが設けられないため、検知部８の場所では不感帯となり、防犯面で課題がある。また、センサ部２と検知部８との間で外観上の一体感が無いため、意匠的に劣るという問題もある。
【０００６】
そこで本発明者らは、本発明に至る過程で、センサ笠木２の下面側に検知部８を一体に組み込む方式を考えた。その一例を図８（ｂ）に示す。ところが、検知部８と外部の警報システムとを電気的に接続するための外部ケーブル４はそのケーブル太さが一般に太いため、外部ケーブル４の上面高さＨ１が高くなり、センサ笠木２に上から荷重がかかった際に、センサ笠木２が下降すると外部ケーブル４に噛み込み、そのためにセンサ笠木２の下降が妨げられて圧力センサによる検出が不能となる。つまり検知部８は感圧帯として機能しなくなるという課題を有している。
【特許文献１】特開２００１−１５３９６４号公報
【特許文献２】特開２００２−１５３８０号公報
【発明の開示】
【発明が解決しようとする課題】
【０００７】
本発明は上記の従来の問題点に鑑みて発明したものであって、検知部を感圧帯として機能させることができ、安定した防犯効果が得られると共に、外観性にも優れた圧力検出装置を提供することを課題とするものである。
【課題を解決するための手段】
【０００８】
前記課題を解決するために本発明は、一方の端部に圧力センサ１が接続され、他方の端部に外部ケーブル４が接続され、上記圧力センサ１からの検知信号を処理して外部ケーブル４側に出力する検知基板５と、検知基板５を収納すると共に圧力センサ１側及び外部ケーブル４側がそれぞれ開口した筒形ケース７とで検知部８が構成され、上下動自在なセンサ押圧部材２が荷重で下降した際にこれを圧力センサ１で検出しこの検出結果を検知基板５から外部ケーブル４を介して外部の警報部に伝達するようにした圧力検出装置において、上記センサ押圧部材２の下面側で且つ圧力センサ１が配置されない領域に上記検知部８を配置すると共に、検知部８における筒形ケース７の外部ケーブル挿入部１０側の底面部１０ａに外部ケーブル４の上面高さＨを低くするためのケーブル逃がし部１２を形成したことを特徴としている。
【０００９】
このような構成とすることで、筒形ケース７のケーブル逃がし部１２に外部ケーブル４を逃がすことができ、その逃がした分だけ外部ケーブル４の上面高さＨを低くできる。従って、センサ押圧部材２のどの部分に荷重がかかっても、特に検知部８の上に荷重がかかった場合でも、外部ケーブル４の上面高さＨが低くなっているため、センサ押圧部材２が外部ケーブル４に噛み込むのを抑止できると共に、センサ押圧部材２の下降動作が妨げられることがないため、圧力センサ１による検出が確実になされるようになる。これにより、検知部８を感圧帯として機能させることができると共に、センサ押圧部材２の下面側に検知部８を配置することで、圧力センサ１と検知部８とが外観上において一体感を呈するようになる。
【００１０】
また、上記筒形ケース７が取付ビス１３により取付部８３に取り付けられ、取付ビス１３の位置を筒形ケース７の中央側で且つ検知基板５に近い位置に配置するのが好ましく、この場合、外部ケーブル４に過負荷が加わった場合でも、検知基板５に近い位置に取付ビス１３があるため、検知基板５への負荷を軽減でき、品質の安定化を図ることができる。しかも、取付ビス１３を筒形ケース７の中央側に位置することで、この取付ビス１３が検知基板５の端部に接続される外部ケーブル４と干渉することも防止できるので、外部ケーブル４が取付ビス１３に乗り上げてセンサ押圧部材２の下降動作を妨げてしまうような事態を確実に回避できるようになる。
【００１１】
また、上記筒形ケース７のケーブル逃がし部１２よりも外側方に、ケーブル逃がし部１２から引き出される外部ケーブル４を固定するためのケーブル固定具１４を設けるのが好ましく、この場合、ケーブル固定具１４によって外部ケーブル４を安定して固定できるので、外部ケーブル４が施工時に正規の位置からズレたり、浮き上がったりするのを防止でき、噛み込みの原因を確実になくすことができる。
【００１２】
また、上記検知基板５の出力側に基板側コネクタ１７を取り付け、上記外部ケーブル４の先端に上記基板側コネクタ１７に差し込まれて速結式で電気的に接続されるケーブル側コネクタ１８を取り付けると共に、筒形ケース７のケーブル逃がし部１２の両サイドにケーブル側コネクタ１８を差し込み方向にガイドするガイド部１９を設けるのが好ましく、この場合、検知基板５と外部ケーブル４とをコネクタ方式によって簡易に且つ確実に電気的に接続できると共に、ガイド部１９に沿ってケーブル側コネクタ１８を差し込むことで基板側コネクタ１７に対するケーブル側コネクタ１８の接続作業が容易となり、しかも接続後はガイド部１９がケーブル側コネクタ１８を保持する機能も兼ねることができ、基板側コネクタ１７に対するケーブル側コネクタ１８の安定した接続状態を長期に亘って持続できるようになる。
【発明の効果】
【００１３】
本発明に係る圧力検出装置は、筒形ケースの外部ケーブル挿入部側の底面部に、ケーブル逃がし部を設けて外部ケーブルの上面高さを低くすることにより、センサ押圧部材のどの部分に荷重がかかっても、特に検知部の上に荷重がかかった場合でも、センサ押圧部材の外部ケーブルへの噛み込みを抑止できると共に、センサ押圧部材の下降動作が外部ケーブルで妨げられることがないため、検知部を感圧帯として機能させることができ、防犯センサに用いた場合は防犯効果を高めることができるものであり、また検知部をセンサ押圧部材の下面側に配置することで、従来のようにセンサ部と検知部とが別体で構成された場合と比較して、外観上連続した一体感が得られ、外観意匠性が大幅に向上するものである。
【発明を実施するための最良の形態】
【００１４】
以下、本発明を添付図面に示す実施形態に基いて説明する。本発明の防犯センサは、戸建住宅や集合住宅のバルコニー部の腰壁をはじめ、敷地のフェンスや塀等の上端部に設置するもので、本実施形態ではバルコニー部の腰壁の上端部に設置するがこれに限定されず、また上記以外の壁部等に設けてもよい。
【００１５】
バルコニー部の腰壁８１は、図１（ａ）に示すように壁本体８２をコンクリート等により形成すると共に、壁本体８２の上端部に取付部となる手摺８３を設けて構成してある。手摺８３は、壁本体８２の上端面の長手方向に複数立設した手摺用支柱８４に載置固定して設ける笠木からなるもので、上面が上方に凸となる曲面状をしたアルミニウム等の金属製のものであるが、その他の材質で形成してもよい。この手摺８３には一般の製造業者が製造する様々なものが用いられる。そして、この手摺８３上に防犯センサを構成する圧力センサ１と圧力検出装置９とを取り付けるものである。
【００１６】
防犯センサは、図１、図２に示すように取付ベース３と、センサー押圧部材を構成するセンサ笠木２と、圧力センサ１と、センサ押圧部６０と、圧力検出装置９とを備えている。
【００１７】
取付ベース３は、バルコニー部の腰壁８１又はフェンス又は塀の上端部に固定して圧力センサ１及びセンサ笠木２を取り付けるためのものである。この取付ベース３は、手摺８３の上面の長手方向に間隔をおいて複数取り付けられるもので、金属やその他の材質で形成してもよいが、アルミの押出成形材がよく用いられる。取付ベース３は、図６、図７に示すように、下横片３２と、延設片３３とで構成される。下横片３２は下面が手摺８３の上面に取り付けられる厚肉板状をしたもので、その上面にはセンサ保持部材１６が載置固定される延設片３３が形成されている。下横片３２の上面の上記延設片３３の幅方向の両側には立設片３２ａが立設してあり、両立設片３２ａにてセンサ保持部材１６を挟んだ状態で該センサ保持部材１６を保持するものである。下横片３２の幅方向の両端部からはそれぞれ板状をした延設片３３が延設してあり、この延設片３３の外方端部が斜め内下方に折り曲げられており、この外方に若干凸曲した部分が被係合部３４となっている。上記被係合部３４間の長さは手摺８３の幅（手摺８３の両側片の外面間の距離）と同じに形成している。また、延設片３３が折り曲げられて被係合部３４の下側に位置する部分は傾斜面３４ａとなっている。この取付ベース３は、下横片３２の下面を手摺８３の上面に載置した状態で該下横片３２に形成した固着具挿通孔（図示せず）を挿通して固着具３６を手摺８３に螺着することで固定する。
【００１８】
センサ笠木２は、上覆い片２１と側片２２とからなる下方に開口する断面略Ｕ字状や略コ字状等をして圧力センサ１を覆う長尺のもので、本実施形態においては上覆い片２１を上方に凸となる曲面状に形成すると共に、上覆い片２１の両側端部から縦板状の側片２２を垂下して形成してある。両側の側片２２間の間隔（側片２２の内面間の距離）は、上記取付ベース３の両被係合部３４間の距離および手摺８３の幅と同じに形成してあるともに、側片２２を取付ベース３に取り付けた時にその下端が手摺８３の側片の下端よりも下方が同レベルとなるように上下長さを設定してある。
【００１９】
またセンサ笠木２の両側片２２には、取付ベース３の両被係合部３４に係合する係合部２３が内方に突設してあると共に、センサ笠木２の下方への移動を規制する規制部２４が上記係合部２３の上方位置より内方に突設してあり、この側片２２の内面の係合部２３と規制部２４の間の部分が取付ベース３の被係合部３４が当接する当接面となっている。
【００２０】
センサ笠木２の取付ベース３への取り付けは、両側の側片２２を若干押し広げて上方から取付ベース３と手摺８３の両側に被せていき、側片２２を手摺８３の側片の外面に被せた状態とし、側片２２の係合部２３を取付ベース３の被係合部３４の下側に位置させて被係合部３４を側片２２の内面に当接させることで行う。この状態、即ちセンサ笠木２に外部から荷重が印加されていない状態では、センサ押圧部６にてセンサ笠木２が上方に付勢されて、側片２２の係合部２３が取付ベース３の被係合部３４の下側に当接すると共に側片２２の規制部２４は取付ベース３の延設片３３の上面よりも若干距離をおいた上方に位置しているが、センサ笠木２に下向きの荷重が印加されると、センサ押圧部６の付勢力に抗ってセンサ笠木２が押し下げられていき、センサ笠木２の側片２２の規制部２４が取付ベース３の延設片３３の上面に当接してセンサ笠木２の下方への移動が停止する。センサ笠木２への荷重がなくなると、センサ押圧部６の付勢力が復元力となってセンサ笠木２が上方に移動して元の状態となる。
【００２１】
上記規制部２４は、センサ笠木２を取付ベース３に被嵌してセンサ笠木２に荷重が印加されていない状態（自然状態という）において、取付ベース３の上面から上方に間隔をあけた箇所から内方に突設するもので、取付ベース３の上面から規制部２４までの距離がセンサ笠木２の自然状態位置から下方へのストロークとなり、このストローク内でセンサ笠木２が移動自在となっている。
【００２２】
センサ保持部材１６は、図６、図７に示すように、ゴム材やエラストマーのような軟質系樹脂等で形成され、上方に開口してその内部が圧力センサ１を保持する保持部１６ａとなるものである。センサ保持部材１６の長さは取付ベース３の長さよりも短く形成してあり、幅は上述した取付ベース３の立設片３２ａ間の距離と略同じかこれより若干短く形成してあり、取付ベース３の立設片３２ａ間に嵌入保持される。本実施形態ではセンサ保持部材１６の両側面に係合凹部１６ｂが凹設してあると共に取付ベース３の立設片３２ａの内側面に係合凸部３２ｂが凸設してあり、これらの凹凸嵌合により抜け止めがなされるものである。また、センサ保持部材１６の保持部１６ａの上方の開口の開口幅は圧力センサ１の径よりも小さく形成してあり、両開口端縁間を広げて圧力センサ１を保持部１６ａに出し入れするものである。
【００２３】
圧力センサ１は、本実施形態では長尺の変位検知式のケーブル状圧力センサ１を用いているが、特にこれに限定されない。本実施形態のケーブル状圧力センサ１（以下単に圧力センサ１という）は、内電極となる導電金属を含む芯電極の周囲に可撓性感圧体を配置すると共に、該可撓性感圧体の周囲に更に可撓性外電極を周設し、該可撓性外電極にリード部材を電気的及び機械的に接続して構成される。この圧力センサ１は、その表面に圧力（荷重）が印加されたとき、その部分が歪むことで芯電極と可撓性外電極との間に電圧が誘起され、この誘起電圧を利用して圧力を検出するものである。そして、圧力センサ１を押圧するセンサ押圧部６０はセンサ押圧部６に形成される。
【００２４】
センサ押圧部６は、図６に示すように、取付ベース３の上面に固定される固定片６３と、固定片６３から上方に突設される弾性片６４と、弾性片６４の先端に形成される押圧片６５とで構成される。固定片６３は板状をしたもので、この固定片６３を取付ベース３の下横片３２の上面の立設片３２ａの外側部分に載置した状態で、ビス等の固着具６９を該固定片６３の固着具挿通孔（図示せず）を挿通して取付ベース３の下横片３２に螺着して固定する。固定片６３の外側端部からは上方に向けて弾性片６４が連設してある。弾性片６４は、基端部が固定片６３から垂直に立設されると共に先端部に向けて内方に向けて緩やかに曲げられて先端部近傍がセンサ笠木２の上覆い片２１の下面に弾接する弾接部６４ａとなっている。弾接部６４ａの上覆い片２１の下面と弾接する部分は、幅方向中央部よりも若干側方に偏った位置となっており、センサ笠木２の上覆い片２１を上記偏った側の斜め上方から反対側の斜め下方に向けて押し下げた際に最もよく弾性片６４が曲げられる。このため、図７に示すように複数のセンサ押圧部６をその固定片６３の固定を両方の側に振り分けて固定することで、センサ笠木２がいずれの斜め下方に押し下げられた場合でもいずれかのセンサ押圧部６がよく曲げられることなる。そして、弾性片６４の先端からは下方およびセンサ笠木２の幅方向の中央部に向けて押圧片６５が連設してあるともに、この押圧片６５の下面に下方に向けてセンサ押圧部６０が突設してある。上述したように弾性片６４が曲げられた際に、このセンサ押圧部６０が圧力センサ１を押圧するものである。
【００２５】
本実施形態においては、取付ベース３に配設したセンサ保持部材１６に圧力センサ１を嵌め込んで保持させるだけで圧力センサ１を配設することができ、また取外す際にも幅狭の両開口端縁間を弾性的に広げて圧力センサ１を取り出すだけで取外し作業が行われ、圧力センサ１の取付ベース３への取り付け・取り外し作業が容易になるものである。
【００２６】
このように圧力センサ１及びセンサ押圧部６０を形成したセンサ押圧部６をセンサ笠木２の長手方向の間隔をあけた複数の箇所に配置することで、センサ笠木２のどの部分に荷重が印加されてもいずれかの圧力センサ１（本実施形態は圧力センサ１のいずれかの部分）が荷重を検知することが可能となる。そして、荷重を検知した際に不審者の侵入有りと判定するものである。
【００２７】
圧力センサ１からの検知信号は、図２に示すようにセンサ笠木２内の長手方向の一部に収納した後述する検知部８に送られ、さらに外部ケーブル４を介して壁本体８２の内側面に取り付けた報知ユニットに送信される。不審者有りと判定した場合には報知ユニットにて警報音等の警報を発する。
【００２８】
上記のような防犯センサにあっては、圧力センサ１及び下向きの荷重が印加されて押し下げられた際に圧力センサ１を押圧するセンサ笠木２にて防犯センサを構成したことで、防犯センサに赤外線センサ等を用いた場合のように猫や鳥等の小動物の侵入を不審者の侵入として誤検知してしまうことがなく、これを圧力センサ１及びセンサ笠木２という簡単な構成で達成することができて、防犯センサの複雑化・部材点数増加による高額化を抑えることができ、また、バルコニー部の腰壁８１に設けた手摺８３との収まりがよく一体感があって外観が向上するものである。また、センサ笠木２の下面に突出するセンサ押圧部６０を形成したことで、圧力センサ１を確実に押圧することができて圧力センサ１の検知Ｓ／Ｎ比を向上させることができる。また、センサ笠木２を取付ベース３に対して下方に所定のストローク内で移動自在となるようにしたことで、センサ笠木２の移動（押し下げ）が確実に行われることなって圧力センサ１の検知Ｓ／Ｎ比を向上させることができる。
【００２９】
次に、本発明の圧力検出装置９を説明する。図１（ａ）に示すように、センサ押圧部材を構成するセンサ笠木２の一端側下面に配置されており、センサ笠木２のどの部分に荷重がかかっても、特に検知部８の上に荷重がかかった場合でも、センサ笠木２が荷重で押し下げられ、これを圧力センサ１が検出して検出結果を検知基板５から外部ケーブル４を介して外部の警報部２０に伝達できる構造となっている。
【００３０】
上記検知部８は、図１（ｂ）に示すように、検知基板５とこれを収納する筒形ケース７とで構成されている。
【００３１】
検知基板５は、図２に示すように、一方の端部に圧力センサ１が接続され、他方の端部には外部ケーブル４が接続され、圧力センサ１からの検知信号を処理して外部ケーブル４側に出力するものである。ここでは、検知基板５の出力側に基板側コネクタ１７を取り付け、外部ケーブル４の先端に上記基板側コネクタ１７に差し込まれて速結式で電気的に接続されるケーブル側コネクタ１８を取り付け、検知基板５と外部ケーブル４とを速結式で接続するようにしている。
【００３２】
上記筒形ケース７は、圧力センサ１及び外部ケーブル４をそれぞれ外側方に引き出すことができる筒形状に形成されている。本例の筒形ケース７は、図４に示すように、長手形状のボディ７Ａとカバー７Ｂとに分割されている。カバー７Ｂの四隅にはネジ孔２５が穿設され、各ネジ孔２５とそれぞれ対向するボディ７Ａの４箇所にネジボス２６が突設され、組立ネジ２７にてボディ７Ａとカバー７Ｂとが固着一体化されている。また本例では、カバー７Ｂの長手寸法がボディ７Ａの長手寸法よりも短く形成されていて、ボディ７Ａとカバー７Ｂとの組み立て状態で、ボディ７Ａの長手方向の一端部がカバー７Ｂの長手方向の一端部よりも外側方に露出した圧力センサ側接続部１１とされ、ボディ７Ａの長手方向の他端部がカバー７Ｂの長手方向の他端部よりも外側方に露出した外部ケーブル挿入部１０とされている。
【００３３】
上記ボディ７Ａは長手方向に離れた２ヶ所で手摺８３の上面に対してビス止めされる。本例では圧力センサ側接続部１１の端部が取付ビス１３ａにて手摺８３に螺着されている。この圧力センサ側接続部１１からはセンサ用ケーブル５０（図２）が挿入されるが、センサ用ケーブル５０の太さは外部ケーブル４と比較して細いため、取付ビス１３ａの上にセンサ用ケーブル５０が乗り上げた場合でも、センサ用ケーブル５０が上方に大きく突出することがないため、センサ笠木２が下降した際にセンサ用ケーブル５０への噛み込みが生じることはない。
【００３４】
また、上記ボディ７Ａの長手方向の中央側には中仕切リブ２８が突設されており、この中仕切リブ２８の中央部が取付ビス１３にて手摺８３に螺着される。これにより図２に示すように、外部ケーブル挿入部１０には取付ビス１３が存在しなくなるので、取付ビス１３に外部ケーブル４が乗り上がることがなく、これによりセンサ笠木２が下降した際に外部ケーブル４への噛み込みをより確実に防止できるようになっている。さらに、ボディ７Ａとカバー７Ｂとが取付ビス１３にてビス止めされた状態で、取付ビス１３の両サイドにコネクタ用ケーブル（図示せず）を通すためのケーブル孔が確保されるようになっている。
【００３５】
上記ボディ７Ａにおける圧力センサ側接続部１１と中仕切リブ２８との間には、圧力センサ１からの検知信号を処理するための検知基板５が収納される。検知基板５の四隅はネジ３０にてボディ７Ａにネジ止めされる。
【００３６】
上記ボディ７Ａにおける外部ケーブル挿入部１０の奥には、基板側コネクタ１７が収納され、外部ケーブル４の先端に結合したケーブル側コネクタ１８が外部ケーブル挿入部１０の入口側から左右のガイド部１９に沿ってスライド挿入されて基板側コネクタ１７に速結式で電気的に接続可能とされる。
【００３７】
なお、ケーブル側コネクタ１８の上面には係止片３１が突設され、一方、基板側コネクタ１７の上面には上記係止片３１が係止する係止孔（図示せず）が凹設されており、ケーブル側コネクタ１８を基板側コネクタ１７に差し込んだ状態（図２の状態）で、係止片３１が係止孔に係止することで、基板側コネクタ１７に対してケーブル側コネクタ１８が機械的に接続されるようになっている。なお、検知部８のカバー７Ｂには、ケーブル側コネクタ１８の上面から突出する係止片３１を収納するための収納凹部４０が設けられており、筒形ケース７の薄型化が図られている。
【００３８】
また本発明においては、図２に示すように、上記外部ケーブル挿入部１０の中央側が平面視コ字状に切欠されてケーブル逃がし部１２が形成されている。外部ケーブル４は、複数本のケーブル導体４ａの外周面を絶縁被覆で被覆したものでケーブル太さが一般に太くなっている。この外部ケーブル４の先端部分をケーブル逃がし部１２に配置することで、図３に示すように、外部ケーブル４の上面高さＨを従来（図８（ｂ）の上面高さＨ１）よりも低くできる。このとき、センサ笠木２の下面から隙間Ｓをあけて外部ケーブル４の上面が配置されることとなり、この隙間Ｓはセンサ笠木２が下降して圧力センサ１を押圧可能となる寸法である。これによりセンサ笠木２が下降して圧力センサ１を押圧する際に、センサ笠木２が外部ケーブル４へ噛み込むのを抑止できる構造となっている。
【００３９】
しかして、筒形ケース７のケーブル逃がし部１２に外部ケーブル４を逃がすことによって、外部ケーブル４の上面高さＨを低くできる。従って、センサ笠木２のどの部分に荷重がかかっても、特に検知部８の上に荷重がかかった場合でも、センサ笠木２の下面が外部ケーブル４に噛み込むのを抑止でき、これにより、センサ笠木２の下降動作が妨げられることがないため、センサ押圧部６０による圧力センサ１の押圧動作が確実になされるようになり、従って、検知部８を感圧帯として機能させることができる。さらに本例では、ケーブル逃がし部１２を切り欠き形状としたので、筒形ケース７の底面部１０ａの厚み分だけ外部ケーブル４の上面高さＨをより低くでき、仮りに施工のばらつきがあったり、外部ケーブル４のケーブル太さがより太い場合であっても、センサ笠木２の下降時にセンサ笠木２が外部ケーブル４に噛み込むのを抑止でき、確実に検知性能を発揮できる結果、圧力センサ１の検出性能を高めて、防犯効果を高めることができる。
【００４０】
また、検知部８は圧力センサ１と同じ共通するセンサ笠木２にて覆われるので、従来のようにセンサ部と検知部とが別体で構成された構造と比較して、外観上において連続した一体感が得られるので、意匠性が大幅に向上する利点もある。
【００４１】
また本例では、筒形ケース７を取付ビス１３にて手摺８３に取り付けるにあたって、取付ビス１３の位置を図２のように筒形ケース７の長手方向の中央側で且つ検知基板５に近い位置に配置している。従って、外部ケーブル４に過負荷が加わった場合でも、検知基板５に近い位置に取付ビス１３があるため、検知基板５への負荷を軽減でき、品質の安定化を図ることができる。しかも、取付ビス１３を筒形ケース７の中央側に位置させることで、取付ビス１３が外部ケーブル４と干渉するのも防止でき、これにより外部ケーブル４が取付ビス１３に乗り上げてセンサ笠木２の下降動作を妨げてしまう事態を回避できるようになる。
【００４２】
なお、外部ケーブル４のケーブル太さが細い場合は、ケーブル逃がし部１２を外部ケーブル挿入部１０の中央部を一段低くした凹み形状とし、この凹み部分を取付ビス１３で手摺８３に取り付けるようにしてもかまわない。この場合、取付ビス１３に外部ケーブル４が乗り上げても、外部ケーブル４のケーブル太さが細いため、外部ケーブル４の上面高さＨを低く保持でき、センサ笠木２による噛み込みを抑止できるようになる。要するに、ケーブル逃がし部１２はセンサ笠木２の下降時にセンサ笠木２が外部ケーブル４に噛み込まない程度に外部ケーブル４の上面高さＨを低くできるものであれば、切欠に限らず、凹み形状でもよい。
【００４３】
さらに本例では、ケーブル逃がし部１２の両サイドにケーブル側コネクタ１８を差し込み方向にガイドするガイド部１９を設けたので、検知基板５と外部ケーブル４とを基板側コネクタ１７とケーブル側コネクタ１８との速結によって簡易に且つ確実に電気的に接続できる利点に加えて、ガイド部１９に沿って基板側コネクタ１７に対するケーブル側コネクタ１８の差し込み接続が容易となり、コネクタ接続時のガイド機能が得られると共に、接続後はガイド部１９がケーブル側コネクタ１８を保持する機能も兼ねることができるので、基板側コネクタ１７に対するケーブル側コネクタ１８の安定した接続状態を長期に亘って持続できる利点もある。
【００４４】
ところで、上記外部ケーブル挿入部１０に形成したケーブル逃がし部１２によって外部ケーブル４の上面高さＨを低くできるが、このケーブル逃がし部１２だけでは外部ケーブル４の浮き上がりを防止できない場合がある。つまり、外部ケーブル４が施工時に正規の位置からズレて噛み込みの原因となることがある。そこで、本例では、図２に示すように、筒形ケース７のケーブル逃がし部１２よりも外側方に、ケーブル逃がし部１２から引き出される外部ケーブル４を固定するためのインシュロックからなるケーブル固定具１４を設けている。ここでは、一方のガイド部１９の先端側にインシュロックを取り付けてある。しかして、インシュロックで外部ケーブル４を保持することで、外部ケーブル４が浮き上がらないように安定して固定できるようになり、結果、外部ケーブル４が施工時等において正規の位置からズレてしまうことがなく、噛み込みの原因を確実になくすことができる利点がある。
【図面の簡単な説明】
【００４５】
【図１】本発明の一実施形態を示し、（ａ）は検知部の斜視図、（ｂ）は上記検知部を備えた圧力検出装置の使用態様を説明する斜視図である。
【図２】同上の検知部の検知基板にセンサ用ケーブルと外部ケーブルとを接続した状態を説明する平面図である。
【図３】図２のＦ―Ｆ線断面図である。
【図４】（ａ）（ｂ）は同上の筒形ケースの分解斜視図である。
【図５】（ａ）は同上の検知部の平面図、（ｂ）は正面図、（ｃ）は側面図である。
【図６】同上の圧力センサの配置状態を説明する正面図である。
【図７】同上の圧力センサの配置状態を説明する斜視図である。
【図８】（ａ）は従来の説明図であり、（ｂ）は（ａ）のＥ―Ｅ線断面図である。
【符号の説明】
【００４６】
１  圧力センサ
２  センサ押圧部材
４  外部ケーブル
５  検知基板
７  筒形ケース
８  検知部
９  圧力検出装置
１０  外部ケーブル挿入部
１２  ケーブル逃がし部
１３  取付ビス
１４  ケーブル固定具
１７  基板側コネクタ
１８  ケーブル側コネクタ
１９  ガイド部
８３  取付部
Ｈ  外部ケーブルの上面高さ
【図１】
2007147404.tif 000003
【図２】
2007147404.tif 000004
【図３】
2007147404.tif 000005
【図４】
2007147404.tif 000006
【図５】
2007147404.tif 000007
【図６】
2007147404.tif 000008
【図７】
2007147404.tif 000009
【図８】
2007147404.tif 000010